(57)【要約】【課題】背表紙に対して綴じ具のベースを着脱自在として、分別廃棄又は綴じ具の再利用をできるようにすること。【解決手段】背表紙２と綴じ具１０のベース１３に穴５，６，３０が形成され、これらの穴と、ベース固定具１４を利用して綴じ具１０が背表紙２に着脱可能に固定される。ベース固定具１４は、前記穴を通じて背表紙２の外面側に引っ掛け可能なフック４３を有する第１の固定具４０と、この第１の固定具４０に組み合わされる第２の固定具４１とを含み、第２の固定具４１には、前記穴を通じて背表紙２の外面側に引っ掛け可能なフック６２が設けられている。第１の固定具４０に対して第２の固定具４１を所定位置にセットしたときに、各フックが突っ張り合いながら屈曲部５６、６７が背表紙２の外面に確実に引っ掛けられた状態に保たれる。【選択図】図１
2011000776.tif 000002
【特許請求の範囲】
【請求項１】
背表紙等の被固定面に固定されるベースと、このベース上に設けられた綴じ部材とを備えた綴じ具を前記被固定面に着脱自在に固定する綴じ具の固定構造であって、
前記被固定面及びベースに穴をそれぞれ形成し、
前記穴を利用して前記被固定面にベースを着脱可能に固定するベース固定具を設け、
前記ベース固定具は、前記穴を通じて被固定面の外面側に引っ掛け可能な第１の係り部部を有する第１の固定具と、当該第１の固定具に相対回転可能に組み合わされるとともに、前記穴を通じて被固定面の外面側に引っ掛け可能な第２の係り部を有する第２の固定具とを含み、
前記第１の固定具に対して第２の固定具を所定位置にセットしたときに、前記第１及び第２の係り部が被固定面の外面側に引っ掛かって前記ベースが被固定面に固定されることを特徴とする綴じ具の固定構造。
【請求項２】
背表紙等の被固定面に固定されるベースと、このベース上に設けられた綴じ部材とを備えた綴じ具を前記被固定面に着脱自在に固定する綴じ具の固定構造であって、
前記被固定面及びベースの複数箇所に穴をそれぞれ形成し、
前記穴を利用して前記被固定面にベースを着脱可能に固定するベース固定具を設け、
前記ベース固定具は、前記ベース上に位置可能な押さえ部と、当該押さえ部に連なるとともに前記穴を通じて被固定面の外面側に引っ掛け可能な第１の係り部とを有する第１の固定具と、当該第１の固定具に相対回転可能に組み合わされるとともに、前記穴を通じて被固定面の外面側に引っ掛け可能な第２の係り部を有する第２の固定具とを含み、
前記第１の係り部を前記被固定面の外面側に引っ掛けた状態で、第２の固定具を第１の固定具に対して所定位置にセットしたときに、第２の係り部が前記穴を通じて被固定面の外面側に引っ掛けられて前記ベースが被固定面に固定されることを特徴とする綴じ具の固定構造。
【請求項３】
前記ベースが被固定面に固定されたときに、前記第１及び第２の係り部は、前記穴の形成縁に対して相互に離れる方向に力を付与することを特徴とする請求項１又は２記載の綴じ具の固定構造。
【請求項４】
前記ベースは背表紙を被固定面として当該背表紙に沿う長方形状をなし、前記第２の固定具は当該第２の固定具を第１の固定具に対して回転操作する操作部を含み、この操作部の自由端は、前記綴じ具が背表紙に固定されたときに、前記ベースの長手方向端部よりも内側に位置することを特徴とする請求項１、２又は３記載の綴じ具の固定構造。
【請求項５】
前記第１及び第２の係り部は、前記被固定面の外面側に引っ掛け可能なフックにより構成され、前記綴じ具を被固定面に固定した状態で、各フックの向きが反対側に向けられていることを特徴とする請求項１ないし４の何れかに記載の綴じ具の固定構造。
【請求項６】
背表紙等の被固定面に固定されるベースと、当該ベース上に設けられた綴じ部材を備えた綴じ具を有するファイルであって、
前記被固定面及びベースに穴をそれぞれ形成し、
前記穴を利用して前記被固定面にベースを着脱可能に固定するベース固定具を設け、
前記被固定面が背表紙であり、
前記ベース固定具は、前記穴を通じて被固定面の外面側に引っ掛け可能な第１の係り部を有する第１の固定具と、当該第１の固定具に相対回転可能に組み合わされるとともに、前記穴を通じて被固定面の外面側に引っ掛け可能な第２の係り部を有する第２の固定具を含み、
前記第１の固定具に第２の固定具を所定位置にセットしたときに前記ベースが被固定面に固定されることを特徴とするファイル。
【発明の詳細な説明】
【技術分野】
【０００１】
本発明は綴じ具の固定構造及びファイルに係り、更に詳しくは、綴じ具のベースを表紙体に固定する作業を極めて容易に行うことができ、且つ、綴じ具と表紙体との分別又は綴じ具の再利用を促進することのできる綴じ具の固定構造及びファイルに関する。
【背景技術】
【０００２】
公知のファイル若しくはバインダーは、表紙体と、この表紙体の内面側に固定された綴じ具とを備えて構成されており、綴じ具は、背表紙の内面側に固定されるベースと、当該ベースの幅方向両側に配置された一対の綴じ板と、これら綴じ板間に延びる綴じ桿とを備えて構成されている。
【０００３】
前記綴じ具のベースを表紙体に固定する方式としては、ベースと表紙体とに複数の穴を形成しておき、これらの穴を介してリベットで固定する、という構成の他、最近では、例えば、特許文献１に記載されているように、ベース固定具を用いて綴じ具を着脱自在にした固定方式も採用されている。
【０００４】
リベットを用いた固定方式は、綴じ具と表紙体との分別や、分別による綴じ具の再利用を図ることができないという不都合があるが、ベース固定具を用いた固定方式では、これらの不都合を解消することができる。ここで、特許文献１に記載されたベース固定具は、第１の固定具と第２の固定具とを含み、ベース及び表紙体に設けられた穴内に第１の固定具の一部を挿入して表紙体の外側に引っ掛けるように配置し、第１の固定具に組み合わされた第２の固定具を相対変位させることで綴じ具のベースが表紙体に固定できるようになっている。
【先行技術文献】
【特許文献】
【０００５】
【特許文献１】特許第３２３０５２０号公報
【発明の概要】
【発明が解決しようとする課題】
【０００６】
しかしながら、特許文献１に記載された綴じ具の固定構造にあっては、第１の固定具の一部を背表紙の外面側に引っ掛けた状態で、第２の固定具を所定位置に相対回転させるものであるため、当該第２の固定具は、背表紙の外面側に引っ掛けられる構成となっていない。そのため、固定強度という点において若干の難点があり、例えば、多数の書類が綴じ込まれたファイルを不注意で落下させてしまったような場合の耐衝撃性において、改善の余地が残されていた。
【０００７】
［発明の目的］
本発明は、このような不都合に着目して案出されたものであり、その目的は、表紙体に対する綴じ具の固定強度を高めて耐衝撃性を改善することができるとともに、分別廃棄と、綴じ具の再利用とを実現することのできる綴じ具の固定構造及びファイルを提供することにある。
【課題を解決するための手段】
【０００８】
前記目的を達成するため、本発明は、特許請求の範囲に記載した通りの構成を採用した。すなわち、本発明は、背表紙等の被固定面に固定されるベースと、このベース上に設けられた綴じ部材とを備えた綴じ具を前記被固定面に着脱自在に固定する綴じ具の固定構造であって、
前記被固定面及びベースに穴をそれぞれ形成し、
前記穴を利用して前記被固定面にベースを着脱可能に固定するベース固定具を設け、
前記ベース固定具は、前記穴を通じて被固定面の外面側に引っ掛け可能な第１の係り部部を有する第１の固定具と、当該第１の固定具に相対回転可能に組み合わされるとともに、前記穴を通じて被固定面の外面側に引っ掛け可能な第２の係り部を有する第２の固定具とを含み、
前記第１の固定具に対して第２の固定具を所定位置にセットしたときに、前記第１及び第２の係り部が被固定面の外面側に引っ掛かって前記ベースが被固定面に固定される、という構成を採っている。
【０００９】
また、本発明は、背表紙等の被固定面に固定されるベースと、このベース上に設けられた綴じ部材とを備えた綴じ具を前記被固定面に着脱自在に固定する綴じ具の固定構造であって、
前記被固定面及びベースの複数箇所に穴をそれぞれ形成し、
前記穴を利用して前記被固定面にベースを着脱可能に固定するベース固定具を設け、
前記ベース固定具は、前記ベース上に位置可能な押さえ部と、当該押さえ部に連なるとともに前記穴を通じて被固定面の外面側に引っ掛け可能な第１の係り部とを有する第１の固定具と、当該第１の固定具に相対回転可能に組み合わされるとともに、前記穴を通じて被固定面の外面側に引っ掛け可能な第２の係り部を有する第２の固定具とを含み、
前記第１の係り部を前記被固定面の外面側に引っ掛けた状態で、第２の固定具を第１の固定具に対して所定位置にセットしたときに、第２の係り部が前記穴を通じて被固定面の外面側に引っ掛けられて前記ベースが被固定面に固定される、という構成を採ることが好ましい。
【００１０】
前記綴じ具の固定構造において、前記ベースが被固定面に固定されたときに、第１及び第２の係り部が前記穴の形成縁に対して相互に離れる方向に力を付与するように設けられている。
【００１１】
また、前記ベースは背表紙を被固定面として当該背表紙に沿う長方形状をなし、前記第２の固定具は当該第２の固定具を第１の固定具に対して回転操作する操作部を含み、この操作部の自由端は、前記綴じ具が背表紙に固定されたときに、前記ベースの長手方向端部よりも内側に位置するように設けられる、という構成を採ることが好ましい。
【００１２】
更に、前記第１及び第２の係り部は、前記被固定面の外面側に引っ掛け可能なフックにより構成され、前記綴じ具を被固定面に固定した状態で、各フックの向きが反対側に向けられる、という構成を採っている。
【００１３】
また、本発明は、背表紙等の被固定面に固定されるベースと、当該ベース上に設けられた綴じ部材を備えた綴じ具を有するファイルであって、
前記被固定面及びベースに穴をそれぞれ形成し、
前記穴を利用して前記被固定面にベースを着脱可能に固定するベース固定具を設け、
前記被固定面が背表紙であり、
前記ベース固定具は、前記穴を通じて被固定面の外面側に引っ掛け可能な第１の係り部を有する第１の固定具と、当該第１の固定具に相対回転可能に組み合わされるとともに、前記穴を通じて被固定面の外面側に引っ掛け可能な第２の係り部を有する第２の固定具を含み、
前記第１の固定具に第２の固定具を所定位置にセットしたときに前記ベースが被固定面に固定される、という構成を採っている。
【発明の効果】
【００１４】
本発明によれば、第１の固定具と第２の固定具の各係り部が被固定面の外面側に引っ掛けられる構成であるため、固定力を付与する箇所が増える構成となり、綴じ具を被固定面に固定したときの固定力が強められ、耐衝撃性を向上させることができる。また、ベース固定具で綴じ具を被固定面に固定できる一方、綴じ具を被固定面から取り外すことができ、分別廃棄、部品再利用も可能となる。
また、第１及び第２の固定具の各係り部は被固定面の外面側に引っ掛けられる構成であるため、つまり、各固定具は被固定面の内面側から装着できる構成となるため、例えば、被固定面の外面側に透明なポケットを設けて見出しラベルが配置される状態であっても、ポケットを形成する前に綴じ具を固定しなければならないという制約がないとともに、ラベルをポケットから抜き取ることなく綴じ具を被固定面に固定する作業を行うことができる。
更に、第１及び第２の固定具の各係り部が穴の形成縁に対して相互に離れる方向に力を付与する構成であるため、換言すれば、係り部が相互に突っ張り合う状態に保たれるため、綴じ具が被固定面に沿って動いてしまう不都合を回避しつつ固定強度を一層高めることができる。
また、第２の固定具の操作部は、綴じ具が背表紙に固定されたときに、ベースの長手方向端部よりも内側に位置する構成であるため、意図しない操作力が操作部に与えられてしまうような不都合も生じない。
【図面の簡単な説明】
【００１５】
【図１】実施例に係るファイルを示す概略斜視図。
【図２】ベース固定具を省略した図１の分解斜視図。
【図３】ベース固定具の概略断面図。
【図４】ベース固定具の概略正面図。
【図５】（Ａ）は第１の固定具の平面図、（Ｂ）はその正面図、（Ｃ）は図５（Ａ）のＡ―Ａ線断面図、（Ｄ）は同Ｂ−Ｂ線断面図、（Ｅ）は同右側面図。
【図６】（Ａ）は第２の固定具の平面図、（Ｂ）はその正面図、（Ｃ）は図６（Ａ）のＣ−Ｃ線断面図、（Ｄ）は同右側面図。
【図７】（Ａ）は第１及び第２の固定具を組み合わせる前の姿勢を示す断面図、（Ｂ）は組合せを完了した状態を示す断面図。
【図８】（Ａ）〜（Ｃ）はベースを背表紙に固定する作用説明図。
【発明を実施するための形態】
【００１６】
以下、本発明の実施形態を図面を参照しながら説明する。なお、本明細書において、特に明示しない限り、「左右」とは、図１に示される背表紙の短寸幅方向を基準として用いられ、「上下」とは背表紙の長手方向を基準として用いられる。
【００１７】
図１及び図２において、ファイルＦは、表紙体１と、当該表紙体１の内面側に固定された綴じ具１０と、この綴じ具１０を表紙体１に固定するベース固定具１４とを備えて構成されている。
【００１８】
前記表紙体１は、上下方向に長い平面視略長方形状の被固定面としての背表紙２と、当該背表紙２の左右方向（幅方向）両側に連なる表表紙３及び裏表紙４とからなり、背表紙２の面内における上下方向二箇所領域には、図２に示されるように、平面視略方形の穴５、６が背表紙２の長手方向における対称位置に複数形成されている。この表紙体１は、本出願人による特許第3230525号公報に開示された表紙体と実質同一のものが採用されている。
【００１９】
前記綴じ具１０は、前記特許第3230525号公報に開示された綴じ具と実質的に同様のものが採用されている。従って、以下においては、必要に応じて概略的な説明に止めるものとする。
【００２０】
図１及び図２に示されるように、綴じ具１０は、背表紙２の内面側に配置されたベース１３と、このベース１３の上下（長手）方向両側において、当該ベース１３を背表紙２に固定する一対のベース固定具１４と、ベース１３の左右両側部分に配置された一対のプッシュ操作部１５と、ベース１３の左右両側にそれぞれ支持されるとともに、プッシュ操作部１５に一部が保持される図示しない一対の軸ピンに下端側が係脱可能に設けられた左右一対の綴じ部材を構成する綴じ板２０，２１と、各綴じ板２０，２１の相対面二箇所位置に固定されて相互にテレスコピックな関係で軸方向に嵌合するパイプからなる綴じ部材としての綴じ桿２３，２４とを備えて構成されている。
【００２１】
前記ベース１３は、図２に示されるように、背表紙１１の上下二箇所位置に固定される上下一対の固定面部２６，２６と、これら固定面部２６間に傾斜部２６Ａを介して連設された中間部２７とを備えて構成されている。固定面部２６において、中間部２７寄りの左右二箇所位置には背表紙２の内方側に位置する穴５に対応する方形の穴３０，３０がそれぞれ形成されているとともに、この穴３０の形成縁であって傾斜部２６Ａ側の形成縁には、切り起こしによって形成される位置決め突片３３がそれぞれ設けられている。また、固定面部２６の上下方向外方には、端縁位置をくぼませて、その端縁が背表紙２の穴６の内方側端縁に略対応する切欠部３４が、幅方向二箇所にそれぞれ設けられている。
【００２２】
前記ベース固定具１４は、図３ないし図６に示されるように、相対回転可能に組み合わされる第１及び第２の固定具４０、４１により構成されている。第１の固定具４０は、ベース１３の固定面部２６上に位置可能な押さえ部４２と、この押さえ部４２の面（図３中下面）に連なる第１の係り部としてのフック４３とを備えて構成されている。押さえ部４２は、平坦な板状をなす本体面４２Ａと、この本体面４２Ａの図５（Ａ）中上下両端側に位置するとともに本体面４２Ａよりも上面位置が高く設けられた側部４２Ｂとを有し、当該側部４２Ｂの右端側は本体面４２Ａの右端から突出する長さに設けられ、当該突出した領域の内面側に、第２の固定具４１を所定位置に保つストッパ用の凹部４５が設けられている。また、本体面４２Ａの図５（Ａ）中左側の上下二箇所には、平面視コ字状の切欠凹部４７が形成されているとともに、これら切欠凹部４７を結ぶ方向における本体面４２Ａ及び側部４２Ｂには断面形状が略半円弧状に設けられて下面側に開放する軸受部４８が形成されている。なお、軸受部４８の中央上面側に設けられたスロット５０は、軸受部４８の開放側中央に形成されたストッパ爪５１を形成する際の成形上の便宜のために設けられたものである。
【００２３】
前記フック４３は、前記本体面４２Ａにおいて、前記切欠凹部４７の位置と反対側となる端部に形成されている。このフック４３は、ベース１３の穴３０と背表紙２の穴５内に位置可能な垂下部５５と、この垂下部５５の下端に連なるとともに当該垂下部５５と略直交する外側に向けられた屈曲部５６とからなり、当該屈曲部５６が背表紙２の外面側に引っ掛けられるようになっている。
【００２４】
前記第２の固定具４１は、図６に示されるように、板状の操作部６０と、当該操作部６０の図６（Ａ）中左端縁の上下二箇所に連なるとともに、第１の固定具４０の切欠凹部４７Ａに位置可能な第２の係り部としてのフック６２と、これらフック６２を結ぶ方向に沿って直線上に設けられて前記軸受部４８に支持される軸６３とを備えて構成されている。操作部６０は、第２の固定具４１を回転させる際の自由端側となる右端側が面位置を上方に隆起する湾曲面とされ、これにより、第２の固定具４１が第１の固定具４０に対して綴じ具１０を固定する位置にセットされたときに、当該固定を解除するための操作用隙間が第１の固定具４０との間に形成できるようになっている。また、操作部６０の自由端側幅方向両端には、突起６０Ａが形成され、当該突起６０Ａが第１の固定具４０の凹部４５に嵌合可能となっている。更に、操作部６０は、綴じ具１０が固定されたときに、自由端がベースの長手方向端部よりも内側に位置するようになっている（図１参照）。また、フック６２は、操作部６０の反自由端側に連なるとともに背表紙２の穴６内に位置可能な垂下部６５と、この垂下部６５の下端に連なるとともに、当該垂下部６５と直交する外側に向けられた屈曲部６７とからなり、当該屈曲部６７が前記背表紙２の外面側に引っ掛けられるようになっている。なお、ベース固定具１４を介して綴じ具１０が背表紙２に固定された状態において、第１の固定具４０のフック４３と第２の固定具４１のフック６２とは、それらの突出向きが反対側となるように設けられている。
【００２５】
次に、本実施例に係る綴じ具１０を背表紙２に固定する方法について、図７及び図８をも参照しながら説明する。なお、図８において、ベース１３は、説明の便宜上、概略的に平坦面に表されているが、実際には、中間面部２７が固定面部２６よりも高い位置に表れるものとなる。
【００２６】
先ず、ベース１３を背表紙２上に固定するに際しては、第１の固定具４０と第２の固定具４１とを組み合わせてベース固定具１４を完成させておく。この組み合わせは、図７（Ａ）に示されるように、第２の固定具４１を反転させた向きとし、軸６３を第１の固定具４０に設けられた軸受部４８の開放側から嵌め込むことによって行うことができ、これにより、第１及び第２の固定具４０、４１が相対回転可能に組み合わされることとなる（図７（Ｂ）参照）。
【００２７】
次いで、ベース１３の各固定面部２６をベース固定具１４と背表紙２との間に挟み込むように固定を行う。すなわち、図２に示されるように、背表紙２の内面に対し、綴じ具１０におけるベース１３の下面を相対させ、穴３０の形成縁に位置する位置決め突片３３を穴５の内に位置させる。この状態で、ベース１３の長手方向両側に位置する各位置決め突片３３は、対応する穴５の内方側端縁に接した位置となることでベース１３の位置が決定される。
【００２８】
このようにして綴じ具１０の位置決めを完了した状態で、図８（Ａ）に示されるように、第１の固定具４０のフック４３をベース１３の穴３０と背表紙２の穴５内に位置させるとともに、第２の固定具４１の自由端側を上方位置としてフック６２を穴６内に位置させる。このとき、フック６２の屈曲部６７は対応するフック４３に対して接近した状態となる。この後、操作部６０を第１の固定具４０の押さえ部４２上に重ねるように回転させると、フック６２の屈曲部６７が回転変位し、その垂下部６５が穴６０の外側形成縁に接するようになる（図８（Ａ）参照）。そして、更に操作部６０を回転して水平姿勢にしたときに、屈曲部６７が背表紙２の外面側に引っ掛かると同時に、第１の固定具４０側の垂下部５５が穴５の内方端に突き当たり、フック５６が背表紙２の外面に引っ掛かることとなる。このとき、第２の固定具４１の突起４５は、第１の固定具４０に設けられた凹部４５に「カチッ」と嵌り、各フック４３，６２の垂下部５５、６５が穴５、６の端縁に強く押し付けられるとともに、屈曲部５６、６７が背表紙の外面に食い込むように作用することとなる。従って、ベース固定状態では、意図した操作力を操作部６０に付与しない限り、つまり、操作部６０の自由端側を前述とは反対側に回転操作しない限り、固定状態が維持されることとなる。
【００２９】
従って、このような実施形態によれば、背表紙２に対するベース１３の着脱を容易に行うことができる。また、フック４３、６２は、背表紙２の内面側から引っ掛けるようにしてセットすることができため、例えば、背表紙２の外面側に見出しラベルを装填するためのフィルムが設けられた場合であっても、綴じ具１０を固定することができる。
また、綴じ具１０が固定された状態では、フック４３、６２が穴３０、５，６内に位置し、これらの穴を通じて複数箇所に分散した状態で背表紙２の外面側に引っ掛かるので、固定力を付与する箇所が複数箇所となり、固定強度に優れた耐衝撃性を確保することが可能となる。特に、フック４３、６２の垂下部５５，６５が、いわゆる突っ張り棒類似の作用を奏するようになり、この点からも固定強度を高めることができる。
また、表紙体１は、特許第3230525号公報に開示された表紙体を用いることができるので、前記綴じ具の固定構造を適用するための特別な表紙体を用いる必要性はない。
【００３０】
以上のように、本発明を実施するための最良の構成、方法等は、前記記載で開示されているが、本発明は、これに限定されるものではない。
すなわち、本発明は、主に特定の実施例に関して特に図示し、且つ、説明されているが、本発明の技術的思想及び目的の範囲から逸脱することなく、以上説明した実施例に対し、形状、材質、数量、位置若しくは配置等に関して当業者が様々な変更を加えることができるものである。
従って、既に開示した形状等の限定をした記載は、本発明の理解を容易にするために例示的に示したものであり、本発明を限定するものではないから、それらの形状等の限定を一部若しくは全部の限定を外した部材の名称での記載は、本発明に含まれるものである。
【００３１】
例えば、前記実施形態では、ベース１３の穴３０を各固定面部２６Ａにおいて、各二個設けたが、少なくとも一個設けてあればよく、これに対応して、穴６、フック４３、６２を形成すれば足りる。また、穴６に対応する穴をベース１３の固定面部２６Ａに設ける構成を採用してもよい。図示例の場合、固定面部２６Ａを外側に長く設定し、穴６を穴５に接近させる寸法設定とすれば、穴６にも対応した穴を固定面部２６Ａに形成可能となる。
【００３２】
また、フック４３，６２は、ベース固定状態において、必ずしも突っ張り合う状態に保たれなくてもよく、穴の形成縁に当接した状態で背表紙２の外面側に引っ掛かる状態であってもよい。
【００３３】
更に、本発明に係る綴じ具１０の細部構造、例えば、ベース１３及び綴じ板２０，２１の外観形状等は前記実施例に限定されるものでなく、同様の作用を奏する限りにおいて、適宜変更することができる。例えば、ベース１３は固定面部２６と中間部２７との平面高さが異なる形状に設けたが同一の平面に位置する形状とすることができる。
【００３４】
更に、綴じ具１０の固定面は背表紙２に限定されるものではなく、表紙体１の面内であればよい。
【符号の説明】
【００３５】
１  表紙体
２  背表紙（被固定面）
５，６，３０  穴
１０  綴じ具
１３  ベース
１４  ベース固定具
２０、２１  綴じ板（綴じ部材）
２３、２４  綴じ桿（綴じ部材）
４０  第１の固定具
４１  第２の固定具
４２  押さえ部
４３  フック（第１の係り部）
６０  操作部
６２  フック（第２の係り部）
Ｆ  ファイル
【図１】
2011000776.tif 000003
【図２】
2011000776.tif 000004
【図３】
2011000776.tif 000005
【図４】
2011000776.tif 000006
【図５】
2011000776.tif 000007
【図６】
2011000776.tif 000008
【図７】
2011000776.tif 000009
【図８】
2011000776.tif 000010